【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
放射線照射部と、
多数の線状体が配列されてなる周期的構造を有し、通過する放射線によって周期的強度分布を含む放射線像を形成する第１の格子と、
前記放射線照射部から照射され前記第１の格子及び被写体を透過し前記周期的強度分布に変調を受けた前記放射線像を検出して放射線画像データを取得する検出部と、
前記第１の格子の前記線状体の群の配列方向との関係において被写体の配置をガイドするガイド部と、
前記放射線照射部と前記検出部との間に設けられ、被写体が配置される被写体台と、
を備え、
前記ガイド部は、前記被写体台に印された指標であり、
前記指標は、被写体の種別毎に複数設けられており、対応する被写体種別の概形を示す放射線撮影装置。
【請求項２】
請求項１に記載の放射線撮影装置であって、
前記被写体台は、前記放射線照射部と前記第１の格子との間、又は前記第１の格子と前記検出部との間に配置されている放射線撮影装置。
【請求項３】
放射線照射部と、
多数の線状体が配列されてなる周期的構造を有し、通過する放射線によって周期的強度分布を含む放射線像を形成する第１の格子と、
前記放射線照射部から照射され前記第１の格子及び被写体を透過し前記周期的強度分布に変調を受けた前記放射線像を検出して放射線画像データを取得する検出部と、
前記第１の格子の前記線状体の群の配列方向との関係において被写体の配置をガイドするガイド部と、
前記放射線照射部と前記検出部との間に設けられ、被写体が配置される被写体台と、
を備え、
前記ガイド部は、前記被写体台に指標を表示する表示部を有し、
前記指標は、被写体の種別毎に複数設けられており、対応する被写体種別の概形を示す放射線撮影装置。
【請求項４】
請求項３に記載の放射線撮影装置であって、
前記被写体台は、前記放射線照射部と前記第１の格子との間、又は前記第１の格子と前記検出部との間に配置されている放射線撮影装置。
【請求項５】
請求項３又は４に記載の放射線撮影装置であって、
被写体種別を入力する入力部をさらに備え、
前記表示部は、前記入力部において入力された被写体種別に応じた前記指標を表示する放射線撮影装置。
【請求項６】
放射線照射部と、
多数の線状体が配列されてなる周期的構造を有し、通過する放射線によって周期的強度分布を含む放射線像を形成する第１の格子と、
前記放射線照射部から照射され前記第１の格子及び被写体を透過し前記周期的強度分布に変調を受けた前記放射線像を検出して放射線画像データを取得する検出部と、
前記第１の格子の前記線状体の群の配列方向との関係において被写体の配置をガイドするガイド部と、
前記放射線照射部と前記検出部との間に設けられ、被写体が配置される被写体台と、
を備え、
前記ガイド部は、前記被写体台上における被写体の配置を検出する被写体検出部と、前記被写体検出部の検出結果に基づいて被写体の配置の適否を判定する判定部と、を有し、
前記被写体検出部は、前記被写体台の縁部に沿って設けられた複数のセンサを有しており、
前記判定部は、前記第１の格子の前記線状体の群の配列方向に交差する縁部に設けられたセンサによって被写体が検出されている場合に、被写体の配置が適当であると判定し、前記第１の格子の前記線状体の群の配列方向に沿う縁部に設けられたセンサによって被写体が検出されている場合に、被写体の配置が不適であると判定する放射線撮影装置。
【請求項７】
請求項６に記載の放射線撮影装置であって、
前記被写体台は、前記放射線照射部と前記第１の格子との間、又は前記第１の格子と前記検出部との間に配置されている放射線撮影装置。
【請求項８】
請求項６又は７に記載の放射線撮影装置であって、
前記判定部によって被写体の配置が不適であると判定された場合に、被写体の配置が不適であることを報知する報知部をさらに備える放射線撮影装置。
【請求項９】
放射線照射部と、
多数の線状体が配列されてなる周期的構造を有し、通過する放射線によって周期的強度分布を含む放射線像を形成する第１の格子と、
前記放射線照射部から照射され前記第１の格子及び被写体を透過し前記周期的強度分布に変調を受けた前記放射線像を検出して放射線画像データを取得する検出部と、
前記第１の格子の前記線状体の群の配列方向との関係において被写体の配置をガイドするガイド部と、
前記放射線照射部と前記検出部との間に設けられ、被写体が配置される被写体台と、
を備え、
前記ガイド部は、前記被写体台上における被写体の配置を検出する被写体検出部と、前記被写体検出部の検出結果に基づいて被写体の配置の適否を判定する判定部と、を有し、
前記判定部によって被写体の配置が不適であると判定された場合に、前記第１の格子を通過する放射線の光軸まわりに前記第１の格子及び前記検出部を回転させる駆動部をさらに備える放射線撮影装置。
【請求項１０】
請求項９に記載の放射線撮影装置であって、
前記被写体台は、前記放射線照射部と前記第１の格子との間、又は前記第１の格子と前記検出部との間に配置されている放射線撮影装置。
【請求項１１】
請求項１から１０のいずれか一項に記載の放射線撮影装置であって、
前記放射線照射部、前記第１の格子、及び前記検出部の並び方向に延在し、これら放射線照射部、第１の格子、検出部を支持するアーム部材をさらに備える放射線撮影装置。
【請求項１２】
請求項１１に記載の放射線撮影装置であって、
前記アーム部材は、前記第１の格子をその線状体の配列方向に延長した延長領域から外れて配置されている放射線撮影装置。
【請求項１３】
請求項１から１２のいずれか一項に記載の放射線撮影装置であって、
前記検出部は、前記放射線像に重ね合わされる第２の格子をさらに有し、前記第２の格子が重ね合わされた前記放射線像を検出する放射線撮影装置。
【請求項１４】
請求項１から１２のいずれか一項に記載の放射線撮影装置であって、
前記検出部は、前記放射線像の前記周期的強度分布を解像可能な解像度を有し、前記放射線像を検出する放射線撮影装置。
【請求項１５】
請求項１から１２のいずれか一項に記載の放射線撮影装置であって、
前記検出部は、前記放射線像の前記周期的強度分布の周期との関係でモアレを生じる解像度を有し、前記放射線像を検出する放射線撮影装置。
【請求項１６】
請求項１から１５のいずれか一項に記載の放射線撮影装置であって、
前記放射線撮影装置の検出部によって取得された少なくとも一つの放射線画像データに基づいて、被写体の位相コントラスト画像を生成する演算処理部をさらに備えた放射線撮影装置。 
【手続補正２】
【補正対象書類名】明細書
【補正対象項目名】００１３
【補正方法】変更
【補正の内容】
【００１３】
（１）  放射線照射部と、多数の線状体が配列されてなる周期的構造を有し、通過する放射線によって周期的強度分布を含む放射線像を形成する第１の格子と、前記放射線照射部から照射され前記第１の格子及び被写体を透過し前記周期的強度分布に変調を受けた前記放射線像を検出して放射線画像データを取得する検出部と、前記第１の格子の前記線状体の群の配列方向との関係において被写体の配置をガイドするガイド部と、前記放射線照射部と前記検出部との間に設けられ、被写体が配置される被写体台と、を備え、前記ガイド部は、前記被写体台に印された指標であり、前記指標は、被写体の種別毎に複数設けられており、対応する被写体種別の概形を示す放射線撮影装置。
（２）  放射線照射部と、多数の線状体が配列されてなる周期的構造を有し、通過する放射線によって周期的強度分布を含む放射線像を形成する第１の格子と、前記放射線照射部から照射され前記第１の格子及び被写体を透過し前記周期的強度分布に変調を受けた前記放射線像を検出して放射線画像データを取得する検出部と、前記第１の格子の前記線状体の群の配列方向との関係において被写体の配置をガイドするガイド部と、前記放射線照射部と前記検出部との間に設けられ、被写体が配置される被写体台と、を備え、前記ガイド部は、前記被写体台に指標を表示する表示部を有し、前記指標は、被写体の種別毎に複数設けられており、対応する被写体種別の概形を示す放射線撮影装置。
（３）  放射線照射部と、多数の線状体が配列されてなる周期的構造を有し、通過する放射線によって周期的強度分布を含む放射線像を形成する第１の格子と、前記放射線照射部から照射され前記第１の格子及び被写体を透過し前記周期的強度分布に変調を受けた前記放射線像を検出して放射線画像データを取得する検出部と、前記第１の格子の前記線状体の群の配列方向との関係において被写体の配置をガイドするガイド部と、前記放射線照射部と前記検出部との間に設けられ、被写体が配置される被写体台と、を備え、前記ガイド部は、前記被写体台上における被写体の配置を検出する被写体検出部と、前記被写体検出部の検出結果に基づいて被写体の配置の適否を判定する判定部と、を有し、前記被写体検出部は、前記被写体台の縁部に沿って設けられた複数のセンサを有しており、前記判定部は、前記第１の格子の前記線状体の群の配列方向に交差する縁部に設けられたセンサによって被写体が検出されている場合に、被写体の配置が適当であると判定し、前記第１の格子の前記線状体の群の配列方向に沿う縁部に設けられたセンサによって被写体が検出されている場合に、被写体の配置が不適であると判定する放射線撮影装置。
（４）  放射線照射部と、多数の線状体が配列されてなる周期的構造を有し、通過する放射線によって周期的強度分布を含む放射線像を形成する第１の格子と、前記放射線照射部から照射され前記第１の格子及び被写体を透過し前記周期的強度分布に変調を受けた前記放射線像を検出して放射線画像データを取得する検出部と、前記第１の格子の前記線状体の群の配列方向との関係において被写体の配置をガイドするガイド部と、前記放射線照射部と前記検出部との間に設けられ、被写体が配置される被写体台と、を備え、前記ガイド部は、前記被写体台上における被写体の配置を検出する被写体検出部と、前記被写体検出部の検出結果に基づいて被写体の配置の適否を判定する判定部と、を有し、前記判定部によって被写体の配置が不適であると判定された場合に、前記第１の格子を通過する放射線の光軸まわりに前記第１の格子及び前記検出部を回転させる駆動部をさらに備える放射線撮影装置。